(57)【特許請求の範囲】
【請求項１】
洗面キャビネットの上方に、ミラーを有してなるミラーキャビネットを立設し、該ミラーキャビネットの上方には照明器具を備えた箱体を設けてなる洗面化粧台において、前記箱体の前記ミラーに面する側面の裏板には上下方向に所定の長さである長孔部を備えてなり、一端を前記ミラーキャビネットと固着させるとともに、前記長孔部を介して他端を前記箱体と係合させる取付部材を設けて、前記ミラーキャビネットの前面上縁側で、前記ミラーキャビネットと前記箱体とを連結するものであって、前記取付部材の箱体側を断面略Ｌ字型とし、この取付部材の断面略Ｌ字型である側と箱体の裏板の長孔部上部とをお互いが引っ掛かるように係合させた状態とし、箱体の天板が天井面に略当たるように同長孔部と取付部材との上下位置を調整して、この取付部材の断面略Ｌ字型である側の端部に設けたネジ穴に通されるネジで裏板と取付部材とを固定するようになしたことを特徴とする洗面化粧台。
【請求項２】
請求項１に記載の洗面化粧台の施工方法において、前記箱体の前記ミラーに面する側面の裏板には予め上下方向に所定の長さである長孔部を設けておき、前記ミラーキャビネットの前面側に取り付け可能な取付部材の一端を前記ミラーキャビネットに固着させる工程と、前記取付部材の他端を前記長孔部を介して前記箱体と係合させる工程とを備えてなり、前記ミラーキャビネットの前面上縁側で、前記ミラーキャビネットと前記箱体とを連結する方法であって、前記取付部材の箱体側を断面略Ｌ字型とし、この取付部材の断面略Ｌ字型である側と箱体の裏板の長孔部上部とをお互いが引っ掛かるように係合させた状態とし、箱体の天板が天井面に略当たるように同長孔部と取付部材との上下位置を調整して、この取付部材の断面略Ｌ字型である側の端部に設けたネジ穴に通されるネジで裏板と取付部材とを固定するようになしたことを特徴とする洗面化粧台の施工方法。
【発明の詳細な説明】
【０００１】
【発明の属する技術分野】
本発明は、洗面化粧台及びその施工方法に関するものである。
【０００２】
【従来の技術】
従来の洗面化粧台として、例えば、図４に示すように、洗面ボールやサイドキャビネットや給水カラン等を有してなる洗面キャビネット（図示せず）の上方に、ミラー２１を前面に有してなるミラーキャビネット２を立設し、このミラーキャビネット２の上端部分に照明器具３１を備えた箱体３を設けてなるものを挙げることができる。
【０００３】
なお、図４は、この洗面化粧台におけるミラーキャビネット２の上端部分の要部を示す断面図であるが、箱体３は、２本の長尺状の蛍光灯ランプ３６からなる照明器具３１を内に備え、その下面は、半透明のガラスからなる透光カバー３７で覆われている。
【０００４】
この洗面化粧台においては、箱体３は、ミラーキャビネット２よりも高い位置、つまりミラーキャビネット２の上端部分で天井面５にその上面が略当たるようにして固定されている。
【０００５】
なお、箱体３の天井面５や壁面（図示せず）への固定は、例えば、壁面に箱体３の一部をビス止めしたり、天井面５や壁面と面する必要箇所に両面テープ（図示せず）や接着剤（図示せず）を用いて行う。
【０００６】
【発明が解決しようとする課題】
ところが、上述の洗面化粧台においては、ミラーキャビネットよりも高い位置に照明器具を備えた箱体がとりつけられるので、１人作業による施工が困難であった。
【０００７】
また、現場でミラーキャビネットの上端部分に照明器具を備えた箱体を設置する場合には、天井高さにあわせてミラーキャビネットの高さ等を現場で調整する必要があった。
【０００８】
本発明は上記問題点を改善するためになされたものであり、現場施工性を向上させた洗面化粧台及びその施工方法を提供することを目的とするものである。
【０００９】
【課題を解決するための手段】
請求項１に記載の洗面化粧台は、洗面キャビネット１の上方に、ミラー２１を有してなるミラーキャビネット２を立設し、該ミラーキャビネット２の上方には照明器具３１を備えた箱体３を設けてなる洗面化粧台において、前記箱体３の前記ミラー２１に面する側面の裏板３２には上下方向に所定の長さＨである長孔部６を備えてなり、一端を前記ミラーキャビネット２と固着させるとともに、前記長孔部６を介して他端を前記箱体３と係合させる取付部材４を設けて、前記ミラーキャビネット２の前面上縁側で、前記ミラーキャビネット２と前記箱体３とを連結するものであって、前記取付部材４の箱体３側を断面略Ｌ字型とし、この取付部材４の断面略Ｌ字型である側と箱体３の裏板３２の長孔部６上部とをお互いが引っ掛かるように係合させた状態とし、箱体３の天板３３が天井面５に略当たるように同長孔部６と取付部材４との上下位置を調整して、この取付部材４の断面略Ｌ字型である側の端部に設けたネジ穴４２に通されるネジ１２で裏板３２と取付部材４とを固定するようになしたことを特徴とするものである。
【００１１】
また、請求項２に記載の洗面化粧台の施工方法は、請求項１に記載の洗面化粧台の施工方法において、前記箱体３の前記ミラー２１に面する側面の裏板３２には予め上下方向に所定の長さＨである長孔部６を設けておき、前記ミラーキャビネット２の前面側に取り付け可能な取付部材４の一端を前記ミラーキャビネット２に固着させる工程と、前記取付部材４の他端を前記長孔部６を介して前記箱体３と係合させる工程とを備えてなり、前記ミラーキャビネット２の前面上縁側で、前記ミラーキャビネット２と前記箱体３とを連結する方法であって、前記取付部材４の箱体３側を断面略Ｌ字型とし、この取付部材４の断面略Ｌ字型である側と箱体３の裏板３２の長孔部６上部とをお互いが引っ掛かるように係合させた状態とし、箱体３の天板３３が天井面５に略当たるように同長孔部６と取付部材４との上下位置を調整して、この取付部材４の断面略Ｌ字型である側の端部に設けたネジ穴４２に通されるネジ１２で裏板３２と取付部材４とを固定するようになしたことを特徴とするものである。
【００１２】
【発明の実施の形態】
以下に、本発明の実施形態を図１乃至図３に基づいて説明する。図１は、本発明の実施形態に係る洗面化粧台を示す斜視図であり、図２は、照明器具３１を備えた箱体３を示す断面図であり、図３は、ミラーキャビネット２の上縁部を示す断面図である。
【００１３】
洗面化粧台は、図１に示すように、洗面ボール１ａやサイドキャビネット１ｂや給水カラン（図示せず）等を有してなる通常の洗面キャビネット１と、ミラー２１を有してなるミラーキャビネット２と、照明器具３１を有してなる箱体３と、ミラーキャビネット２と箱体３とを連結する取付部材４（図３参照）とを備えて構成されている。
【００１４】
ここで、ミラーキャビネット２は、洗面キャビネット１の上方に立設され、ミラーキャビネット２の前面上縁側で取付部材４を介して箱体３と連結されている。
【００１５】
ミラーキャビネット２は、図３に示すように、例えばミラー２１と、ミラー２１を保持する箇所を備えた上サッシ２２と、上サッシ２２を固定するために鏡打板２３とを備えてなり、ミラー２１と鏡打板２３との間にはパッキン２４を配置させ、上サッシ２２をネジ１０でネジ止めしてミラー２１と鏡打板２３とが一体化されている。
【００１６】
また、照明器具３１は、図２に示すように、例えば２本の長尺状の蛍光灯ランプ３６を備えた通常の照明装置であり、洗面キャビネット１又はミラーキャビネット２に設けられた電源供給部（図示せず）から電源供給され、例えばミラーキャビネット２のミラー２１の下部に設けられるスイッチ２５（図１）にて利用者（図示せず）がＯＮ、ＯＦＦ制御することができるようにされている。
【００１７】
箱体３は、図２に示すように、木材である裏板３２と天板３３と前板３４と２枚の側板３５とをネジや接着剤等で固定させて下方に開口部（図示せず）を形成し、この開口部を透光カバー３７で覆って直方体状に形成されている。なお、天板３３の内面には、ビス３８等により照明器具３１が取り付けられている。なお、透光カバー３７は、例えば透明、半透明のガラスや、アクリル樹脂材料等の合成樹脂材料からなるが、その材質は照明器具３１からの光を透すことができればよい。
【００１８】
ここで、本実施形態においては、箱体３のミラー２１に面する側にあたる裏板３２は、図２及び図３に示すように、上下方向に所定の長さＨであるような長孔部６を予め備えている。なお、上下方向に設定する長孔部６の所定の長さＨは、天井高さにあわせて箱体３を上下に調整する際に必要なマージン長さで決定されることが好ましい。
【００１９】
また、取付部材４は、金属で形成された取り付け金具であり、図３に示すように、箱体３側を断面略Ｌ字型としており、ミラーキャビネット２及び裏板３２と固定される箇所には、ネジ１１、１２でネジ止めするための各ネジ穴４１、４２を備えている。なお、取付部材４の材料は、硬質樹脂等、ミラーキャビネット２が箱体３を連結した際に、箱体３を支えるのに十分な剛性を備えるものであればよい。
【００２０】
なお、取付部材４の箱体３側を断面略Ｌ字型にしておくことは、裏板３２に設けた長孔部６に取付部材４を引っ掛け易くするためである。断面略Ｌ字型の長孔部６に引っ掛かる箇所の長さは、裏板３２の厚み、若しくは裏板３２の厚みに若干のマージンを加えた値と略等しくしておくこととで、取付部材４は、箱体３をより安定して保持することができる。
【００２１】
以下に、洗面化粧台の施工方法について以下に説明する。まず、例えば施工業者は、ミラー２１と上サッシ２２とを用いて上述のようにミラーキャビネット２を組み立て、通常の施工方法でミラーキャビネット２を洗面キャビネット１の上方に立設する。施工業者は、上サッシ２２には予めネジ穴（図示せず）を設けておき、取付部材４の一端に設けたネジ穴４１をこの上サッシ２２のネジ穴にあわせて、ミラーキャビネット２の前面上縁側に取付部材４をネジ１１でネジ止めする。
【００２２】
次に、施工業者は、取付部材４の断面略Ｌ字型である側と、箱体３を構成する裏板３２に設けた長孔部６上部とをお互いが引っ掛かるように係合させた状態とする。そして、施工業者は、例えば前板３４や２枚の側板３５を接着剤等で固定しておいた天板３３に予め照明器具３１を設けておき、裏板３２の上部にこの天板３３をのせて、裏板３２と天板３３とをネジ１３でネジ止めする。そして、施工業者は、天板３３が天井面５に略当たるように調整しながら、上下方向に長い長孔部６と取付部材４の上下位置を調整した後、取付部材４の一端に設けたネジ穴４２にネジ１２を通して、裏板３２と取付部材４とを固定する。最後に、施工業者は、箱体３の下方の開口部に透光カバー３７を設ける。
【００２３】
なお、箱体３の天井面５や壁面（図示せず）への固定は、必要に応じて行うことができ、例えば、天板３３や裏板３２をビス止めしたり、天井面５や壁面と面する必要箇所に両面テープ（図示せず）や接着剤（図示せず）を用いて行うことができる。
【００２４】
かかる洗面化粧台及びその施工方法においては、ミラー２１に面する箱体３の側面である裏板３２には上下方向に所定の長さＨである長孔部６を備えてなり、一端をミラーキャビネット２側と固着するとともに、長孔部６を介して他端を箱体３と係合させる取付部材４を設けて、ミラーキャビネット２の前面上縁側で、ミラーキャビネット２と箱体３とを連結するので、施工業者による現場施工性を向上させることができ、重量のある箱体３であっても１人作業による現場施工が可能になる。また、現場で天井高さにあわせて箱体３の上下位置を調整することができるので、ミラーキャビネット２に対して、高さ方向に小刻みなサイズ設定を行う必要がなくなり、ミラーキャビネット２の商品品番を増やす必要がなくなる。
【００２５】
ここで、本実施形態においては、箱体３を構成する裏板３２、天板３３、前板３４、２側板３５の材料は、木材としているが、プラスチック等の合成樹脂等であってもよく、また、図示はしないが、一体成形されていてもよい。また、箱体３を構成する透光カバー３７も含めて、箱体３がプラスチック等の合成樹脂等で一体成形されていてもよい。
【００２６】
上述のように、箱体３が合成樹脂等で一体形成されている場合には、施工業者は、照明器具３１を予め箱体３の天板３３内側相当面に設け、ミラー２１に面する側に設けた長孔部６を介して取付部材４にて箱体３を係合して後、上下方向の位置関係を調整してから、箱体３と取付部材４とを固定する。
【００２７】
【発明の効果】
上記のように本願の請求項１に係る発明の洗面化粧台及び請求項２に係る発明の洗面化粧台の施工方法にあっては、ミラーに面する箱体の側面には上下方向に所定の長さである長孔部を備えてなり、一端をミラーキャビネットと固着するとともに、長孔部を介して他端を箱体と係合させる取付部材を設けて、ミラーキャビネットの前面上縁側で、ミラーキャビネットと箱体とを連結するので、現場施工性を向上させることができ、１人作業による現場施工が可能になるという効果を奏する。また、現場での天井高さにあわせて箱体の上下位置を調整することができるので、ミラーキャビネットに対して、高さ方向に小刻みなサイズ設定を行う必要がなくなり、ミラーキャビネットの商品品番を増やす必要がなくなるという効果を奏する。
【００２８】
また、この場合、取付部材の箱体側を、断面略Ｌ字型としているので、箱体に設けた長孔部に取付部材を引っ掛ける場合に、両者の係合が容易に行えるという効果を奏する。
【図面の簡単な説明】
【図１】本発明の実施形態に係る洗面化粧台を示す斜視図である。
【図２】本発明の実施形態に係る照明器具を備えた箱体を示す断面図である。
【図３】本発明の実施形態に係るミラーキャビネット上縁部を示す断面図である。
【図４】従来例に係るミラーキャビネットの上端部分を示す断面図である。
【符号の説明】
１  洗面キャビネット
２  ミラーキャビネット
３  箱体
４  取付部材
５  天井面
６  長孔部
１０〜１３  ネジ
２１  ミラー
２２  上サッシ
２３  鏡打板
２４  パッキン
２５  スイッチ
３１  照明器具
３２  裏板
３３  天板
３４  前板
３５  側板
３６  蛍光灯ランプ
３７  透光カバー
【図１】
0003832376.tif 000002
【図２】
0003832376.tif 000003
【図３】
0003832376.tif 000004
【図４】
0003832376.tif 000005